(57)【特許請求の範囲】
【請求項１】
ラジエータを備えるDCコンバータバルブのためのサイリスタアセンブリラジエータであって、サイリスタが2つの隣接するラジエータ間に配設され、
前記ラジエータの各々はハウジングを備え、給水ポートが前記ハウジングの上部に提供され、排水ポートが前記ハウジングの下部に提供され、ダンピング抵抗を収納するための前記ラジエータの前記ハウジングにおける通り穴が、前記給水ポートと前記排水ポートとの間に提供され、
N番目のラジエータの排水ポートがパイプラインを介して（N-2）番目のラジエータの排水ポートと連通させられ、かつ前記N番目のラジエータの給水ポートがパイプラインを介して（N+2）番目のラジエータの給水ポートと連通させられるか、または前記N番目のラジエータの前記給水ポートがパイプラインを介して前記（N-2）番目のラジエータの給水ポートと連通させられ、かつ前記N番目のラジエータの前記排水ポートが前記（N+2）番目のラジエータの排水ポートと連通させられ、ここで、N≧3であり、Nは奇数であり、
M番目のラジエータの排水ポートがパイプラインを介して（M-2）番目のラジエータの排水ポートと連通させられ、かつ前記M番目のラジエータの給水ポートがパイプラインを介して（M+2）番目のラジエータの給水ポートと連通させられるか、または前記M番目のラジエータの前記給水ポートがパイプラインを介して前記（M-2）番目のラジエータの給水ポートと連通させられ、かつ前記M番目のラジエータの前記排水ポートが前記（M+2）番目のラジエータの排水ポートと連通させられ、ここで、M≧4であり、Mは偶数であり、
最後の2つのラジエータの給水ポートは、パイプラインを介して互いに連通させられる、サイリスタアセンブリラジエータ。
【請求項２】
前記N番目のラジエータは、直角のパイプラインを介して前記（N-2）番目のラジエータと連通させられ、前記N番目のラジエータはまた、直角のパイプラインを介して前記（N+2）番目のラジエータと連通させられる、請求項1に記載のDCコンバータバルブのためのサイリスタアセンブリラジエータ。
【請求項３】
前記直角のパイプラインは、縦方向のパイプおよび互いに平行な2つの横方向のパイプを備え、前記横方向のパイプの各々の一端は、ラジエータと連通させられ、その他端は、前記縦方向のパイプと連通させられる、請求項2に記載のDCコンバータバルブのためのサイリスタアセンブリラジエータ。
【請求項４】
前記M番目のラジエータは、曲げられたパイプラインを介して前記（M-2）番目のラジエータと連通させられ、前記M番目のラジエータはまた、曲げられたパイプラインを介して前記（M+2）番目のラジエータと連通させられ、前記曲げられたパイプラインは、一直線のパイプおよび前記一直線のパイプと連通させられ、前記一直線のパイプの二端に設置されたひじ継手を備える、請求項1に記載のDCコンバータバルブのためのサイリスタアセンブリラジエータ。
【請求項５】
前記ひじ継手の各々は、第1の横方向のパイプ、傾斜したパイプおよび第2の横方向のパイプを備え、前記第1の横方向のパイプ、前記傾斜したパイプおよび前記第2の横方向のパイプは、互いに連続的に連通させられ、前記第1の横方向のパイプは、前記第2の横方向のパイプと平行である、請求項4に記載のDCコンバータバルブのためのサイリスタアセンブリラジエータ。
【発明の詳細な説明】
【技術分野】
【０００１】
本発明は、DC送電コンバータバルブの分野に属し、特に、DCコンバータバルブのためのサイリスタアセンブリラジエータに属する。
【背景技術】
【０００２】
DCコンバータバルブは、DC送電のためのコアデバイスである。コンバータバルブは普通、複数のコンポーネントを含む。コンバータバルブのコンポーネントは、サイリスタアセンブリ、アノードリアクトル等を含む。サイリスタアセンブリはさらに、サイリスタ、ラジエータ、ダンピング抵抗、ダンピングコンデンサおよび関連づけられた冷却システムを含む。コンバータバルブは、複雑な構造を有し、多くのパーツを含む。コンバータバルブは、動作中、さまざまな理由による障害に悩まされるかもしれず、もし障害が発生すればその正常な動作を再開するためにやがて修理される必要がある。したがって、デバイスメンテナンスの簡便性が、コンバータバルブの設計プロセスにおけるさまざまな段階で考慮される必要がある。
現在、サイリスタアセンブリのための主として2つの形態のダンピング抵抗が存在する。第1の形態において、ダンピング抵抗は水抵抗器であり、ダンピング抵抗は、冷却水と直接接触しており、独立して熱を放散し、サイリスタラジエータおよびその冷却水パイプラインと無関係である。冷却システムが正常に動作する場合、ダンピング抵抗は熱を良好に放散することができる。しかしながら、ダンピング抵抗が故障し、メンテナンスを必要とする場合、コンバータバルブ内部の冷却水は、メンテナンスが行われ得る前に完全に排出されなくてはならない。結果として、メンテナンスは困難であり、時間がかかる。第2の形態において、ダンピング抵抗は、ロッド抵抗器である。複数のロッド抵抗器がサイリスタラジエータにおいて事前に提供された通り穴の内部に配設され、ダンピング抵抗は、サイリスタラジエータを介して間接的に熱を放散し、コンバータバルブアセンブリの内部のジョイントの数を低減する。しかしながら、いくつかのロッド抵抗器は、サイリスタラジエータの冷却水パイプラインに干渉し得る。結果として、冷却水パイプラインに干渉するロッド抵抗器がメンテナンスされなければならない場合、コンバータバルブにおける冷却水はやはり冷却水パイプラインが分解され得る前に完全に排出される必要があり、困難なメンテナンスにつながる。
【発明の概要】
【０００３】
本発明の目的は、DCコンバータバルブのためのサイリスタアセンブリラジエータを提供することである。
上記目的を達成するために、本発明は以下のような解決を提供する。DCコンバータバルブのためのサイリスタアセンブリラジエータは、ラジエータを含み、サイリスタがあらゆる2つの隣接するラジエータ間に配設され、ここで、ラジエータの各々はハウジングを含み、給水ポートがハウジングの上部に提供され、排水ポートがその下部に提供され、ダンピング抵抗を収納するためのラジエータのハウジングにおける通り穴が、給水ポートと排水ポートとの間に提供される。N番目のラジエータの排水ポートがパイプラインを介して（N-2）番目のラジエータの排水ポートと連通させられ、かつN番目のラジエータの給水ポートがパイプラインを介して（N+2）番目のラジエータの給水ポートと連通させられるか、またはN番目のラジエータの給水ポートがパイプラインを介して（N-2）番目のポートの給水ポートと連通させられ、かつN番目のラジエータの排水ポートがパイプラインを介して（N+2）番目のラジエータの排水ポートと連通させられ、ここで、N≧3であり、Nは奇数である。M番目のラジエータの排水ポートがパイプラインを介して（M-2）番目のラジエータの排水ポートと連通させられ、かつM番目のラジエータの給水ポートがパイプラインを介して（M+2）番目のラジエータの給水ポートと連通させられるか、またはM番目のラジエータの給水ポートがパイプラインを介して（M-2）番目のラジエータの給水ポートと連通させられ、かつM番目のラジエータの排水ポートがパイプラインを介して（M+2）番目のラジエータの排水ポートと連通させられ、ここで、M≧4であり、Mは偶数である。最後の2つのラジエータの給水ポートは、パイプラインを介して互いに連通させられる。
本発明の改善された技術的解決において、N番目のラジエータは、直角のパイプラインを介して（N-2）番目のラジエータと連通させられ、N番目のラジエータはまた、直角のパイプラインを介して（N+2）番目のラジエータと連通させられる。
本発明の改善された技術的解決において、直角のパイプラインは、縦方向のパイプおよび互いに平行な2つの横方向のパイプを含み、横方向のパイプの各々の一端は、ラジエータと連通させられ、その他端は、縦方向のパイプと連通させられる。
本発明の改善された技術的解決において、M番目のラジエータは、曲げられたパイプラインを介して（M-2）番目のラジエータと連通させられ、M番目のラジエータはまた、曲げられたパイプラインを介して（M+2）番目のラジエータと連通させられ、曲げられたパイプラインは、一直線のパイプおよび一直線のパイプと連通させられ、一直線のパイプの二端に設置されたひじ継手を含む。
本発明の改善された技術的解決において、ひじ継手の各々は、第1の横方向のパイプ、傾斜したパイプおよび第2の横方向のパイプを含み、第1の横方向のパイプ、傾斜したパイプおよび第2の横方向のパイプは、互いに連続的に連通させられ、第1の横方向のパイプは、第2の横方向のパイプと平行である。
上記解決により、本発明は以下の有益な効果を有する。
1．ダンピング抵抗がサイリスタラジエータの内部に配設されるので、冷却システムのジョイントの数が低減され、漏れのリスクが低下させられ、コンバータバルブの動作の信頼性が改善される。
2．サイリスタラジエータの内部に配設されたダンピング抵抗がラジエータの水パイプに干渉しないので、ダンピング抵抗がメンテナンスされる際に水パイプが分解される必要がなく、それによりサイリスタアセンブリのメンテナンスの困難さを低減し、メンテナンス時間を低減する。
【図面の簡単な説明】
【０００４】
【図１】本発明に係る模式的な構造図である。
【図２】本発明に係る一直線のパイプの模式的な構造図である。
【図３】本発明に係るひじ継手の模式的な構造図である。
【発明を実施するための形態】
【０００５】
以下はさらに、添付図面および特定の実施形態に関連して本発明の技術的解決を詳細に説明する。
【実施例１】
【０００６】
図1、図2および図3を参照すると、DCコンバータバルブのためのこのサイリスタアセンブリラジエータは、ラジエータ2を含み、サイリスタ1があらゆる2つの隣接するラジエータ2の間に配設される。ラジエータ2の各々はハウジングを含み、給水ポート3がハウジングの上部に配設され、排水ポート4がその下部に配設され、ダンピング抵抗を収納するためのラジエータのハウジングにおける通り穴5〜10が、給水ポート3と排水ポート4との間に提供される。1番目のラジエータ2の排水ポート4は、パイプライン11を介して3番目のラジエータ2の排水ポート4と連通させられ、3番目のラジエータ2の給水ポート3は、パイプラインを介して5番目のラジエータ2の給水ポート3と連通させられ、5番目のラジエータ2の排水ポート4は、パイプライン11を介して7番目のラジエータ2の排水ポート4と連通させられる。2番目のラジエータ2の排水ポート4は、4番目のラジエータ2の排水ポート4と連通させられ、4番目のラジエータ2の給水ポート3は、6番目のラジエータ2の給水ポート3と連通させられ、6番目のラジエータ2の排水ポート4は、8番目のラジエータ2の排水ポート4と連通させられる。最後の2つのラジエータ2の給水ポート3は、パイプラインを介して互いに連通させられる。
好ましい解決において、奇数の番号を付けられたラジエータは、直角のパイプライン11を介して互いに連通させられ、直角のパイプライン11は、縦方向のパイプ15および互いに平行な2つの横方向のパイプ14を含み、横方向のパイプ14の各々の一端は、ラジエータと連通させられ、その他端は、縦方向のパイプ15と連通させられる。
偶数の番号を付けられたラジエータは、曲げられたパイプライン12を介して互いに連通させられ、曲げられたパイプライン12は、一直線のパイプ19および一直線のパイプ19と連通させられ、一直線のパイプ19の二端に設置されたひじ継手を含む。ひじ継手の各々は、第1の横方向のパイプ16、傾斜したパイプ17および第2の横方向のパイプ18を含み、第1の横方向のパイプ16、傾斜したパイプ17および第2の横方向のパイプ18は、互いに連続的に連通させられ、第1の横方向のパイプ16は、第2の横方向のパイプ18と平行である。
直角のパイプライン11の横方向のパーツ14の長さは、曲げられたパイプライン12の第1の横方向のパイプ16、第2のひじ継手18および傾斜したパイプ17の長さの合計である。
上記実施形態は、本発明の保護範囲を限定するというよりもむしろ、単に本発明の技術的思想を説明するために使用されているにすぎない。本発明の技術的思想に係る技術的解決に基づいて行われる任意の変更は、本発明の保護範囲内に入る。
【要約】
DCコンバータバルブのためのサイリスタアセンブリラジエータ。N番目のラジエータの排水ポートは、（N-2）番目のラジエータの排水ポートと連通させられる。N番目のラジエータの給水ポートは、（N+2）番目のラジエータの給水ポートと連通させられる。または、N番目のラジエータの給水ポートは、（N-2）番目のラジエータの給水ポートと連通させられ、N番目のラジエータの排水ポートは、（N+2）番目のラジエータの排水ポートと連通させられる。M番目のラジエータの排水ポートが（M-2）番目のラジエータの排水ポートと連通させられ、かつM番目のラジエータの給水ポートが（M+2）番目のラジエータの給水ポートと連通させられるか、またはM番目のラジエータの給水ポートが（M-2）番目のラジエータの給水ポートと連通させられ、かつM番目のラジエータの排水ポートが（M+2）番目のラジエータの排水ポートと連通させられる。最後の2つのラジエータの給水ポートが連通させられる。そのラジエータによれば、冷却システムのジョイントの数が低減され、漏れのリスクが低下させられ、コンバータバルブの動作の信頼性が改善され、メンテナンスの困難さが低下させられ、メンテナンス時間が短縮される。【図１】
0006352580.tif 000002
【図２】
0006352580.tif 000003
【図３】
0006352580.tif 000004